(57)【要約】【課題】  健常者や障害者等の使用者に関わらず従来と比較して容易に操作入力を行えるテレビジョン装置を提供する。【解決手段】  テレビジョン装置は、筐体１の前面に露出する表示部４と、該表示部４の下辺側に配置された凹部３ａ，３ｂに着脱可能に装着された操作部２ａ，２ｂとを備え、筐体１の内部に、制御部１００、テレビジョン放送信号受信部１０１、映像・音声信号再生部１０３、スピーカ５、操作入力部１０２の操作命令生成部１２１、および装着検出部１２２を備える。操作部２ａ，２ｂの焦電素子２０ａ，２０ｂに視聴者が体の一部を翳すことにより生成される操作信号は、操作命令生成部１２１に入力され、これら操作信号の組み合わせに応じた操作命令信号が出力される。制御部１００はこの操作命令信号に応じてテレビジョン放送信号受信部１０１、映像・音声信号再生部１０３に制御を行う。【選択図】  図１
2005348000.tif 000002
【特許請求の範囲】
【請求項１】
操作入力を受け付けて操作命令信号を出力する操作入力手段と、入力された操作命令信号に応じてテレビジョン放送信号再生に関する所定の制御を行う制御手段とを備えたテレビジョン装置において、
前記操作入力手段は、それぞれに赤外線センサまたは焦電センサからなる物体感知手段を備え、装置本体に対して着脱可能に設置された複数の操作手段と、該複数の操作手段の物体感知信号の組み合わせに基づき前記操作命令信号を生成する操作命令信号生成手段と、前記操作手段の前記装置本体への装着状態を検出する装着検出手段と、備え、
前記装着状態に応じて異なる前記操作命令信号を生成する複数の操作モードを有し、選択された操作モードと前記物体感知信号の組み合わせとに基づく操作命令信号を前記制御手段に出力し、
前記制御手段は、該操作命令信号に基づきテレビジョン放送信号再生に関する所定の制御を行うとともに、設定内容表示画像を生成することを特徴とするテレビジョン装置。
【請求項２】
操作入力を受け付けて操作命令信号を出力する操作入力手段と、入力された操作命令信号に応じてテレビジョン放送信号再生に関する所定の制御を行う制御手段とを備えたテレビジョン装置において、
前記操作入力手段は、それぞれに物体感知手段を備える複数の操作手段と、該複数の操作手段の物体感知信号の組み合わせに基づき前記操作命令信号を生成する操作命令信号生成手段とを備えるテレビジョン装置。
【請求項３】
前記操作手段は、装置本体に対して着脱可能に設置されている請求項２に記載のテレビジョン装置。
【請求項４】
前記操作入力手段は、前記操作手段の前記装置本体への装着状態を検出する装着検出手段を備え、前記物体感知信号の組み合わせにより生成する前記操作命令信号を前記装着状態に応じて異ならせた請求項３に記載のテレビジョン装置。
【請求項５】
前記物体感知手段は赤外線センサである請求項２〜請求項４のいずれかに記載のテレビジョン装置。
【請求項６】
前記物体検出手段は焦電センサである請求項２〜請求項４のいずれかに記載のテレビジョン装置。
【請求項７】
前記制御手段は、前記操作命令信号に応じた設定内容表示画像を生成する請求項２〜請求項６のいずれかに記載のテレビジョン装置。
【発明の詳細な説明】
【技術分野】
【０００１】
この発明は、ユーザから入力された操作に従いテレビジョン放送信号を再生して表示するテレビジョン装置、特にテレビジョン装置の操作入力手段に関するものである。
【背景技術】
【０００２】
従来、テレビジョン放送信号を受信して再生し、表示画面に画像を出力とともに音声をスピーカ等から出力するテレビジョン装置では、ユーザから視聴するチャンネルを指定したり、スピーカから出力される音量を調整するために複数の操作ボタンからなる操作部が備えられている。また、これら操作をテレビジョン装置から離れた位置で行うために遠隔操作装置、すなわちリモートコントローラ（以下、単に「リモコン」と称す。）が備えられている。
【０００３】
このリモコンには、近年のテレビジョン装置の多機能化に伴い、操作ボタンが多数備えられており、ユーザは多数ある操作ボタンから所望の操作を行うための操作ボタンを選択して操作することで、テレビジョン装置に対して操作入力を行う。そして、このように多機能化しながらも操作性を改善したリモコンが各種考案されている。その中には、健常者のみでなく障害者に対しても快適に操作を行うことができるリモコンが考案されている。例えば、特許文献１に記載のリモコンは、筐体に健常者用ボタンを備えるとともに、別体で障害者用ボタンを備え、障害者が利用する場合には、この障害者用ボタンを筐体に接続して操作入力を行うものである。
【特許文献１】特開２０００−１０６０５０公報
【発明の開示】
【発明が解決しようとする課題】
【０００４】
ところが、特許文献１に示すような構造のリモコンでは、健常者が使用する筐体とは別体で障害者用ボタンが形成されているので、健常者と障害者とではリモコンの形状が異なる。そして、筐体側のボタンを操作することが可能な者であれば、別体形成されたボタンは必要なく、無駄なものとなってしまう。また、健常者と障害者とがテレビジョン装置を共有する場合には、使用者が代わる毎に別体部分の着脱を行わなければならなくなる。また、別体部分には操作ボタンが一つしかなく、これを繰り返し押すことで所定の操作を行うため、所定の操作を完了するまでに多くの操作を行わなければならない可能性がある。
【０００５】
したがって、この発明の目的は、手や指や腕に対する障害を有する障害者が容易に操作入力でき、且つ健常者や障害者等の使用者に関わらず従来と比較して容易に操作入力を行うことができる操作入力手段を備えたテレビジョン装置を提供することにある。
【課題を解決するための手段】
【０００６】
この発明は、操作入力を受け付けて操作命令信号を出力する操作入力手段と、入力された操作命令信号に応じてテレビジョン放送信号再生に関する所定の制御を行う制御手段とを備えたテレビジョン装置において、操作入力手段に、それぞれに物体感知手段を備える複数の操作手段と、該複数の操作手段の物体感知信号の組み合わせに基づき操作命令信号を生成する操作命令信号生成手段とを備えたことを特徴としている。
【０００７】
この構成では、操作手段に備えられた物体感知手段の感知範囲に、視聴者が体の一部を翳すと、これに応じて物体感知信号が発生する。このため、視聴者により一つの操作手段に対して二つの状態信号が生成される。すなわち、体の一部を翳すことでＨｉの状態信号（以下、単に「Ｈｉ信号」と称す。）を生成し、体全体を翳さないことでＬｏｗの状態信号（以下、単に「Ｌｏｗ信号」と称す。）を生成する。物体感知手段を備えた操作手段は複数存在するので、例えば、操作手段が二つの場合、すなわち二つの物体感知信号があれば、それぞれ、（１）共にＨｉ信号状態、（２）共にＬｏｗ信号状態、（３）一方がＨｉ信号状態で他方がＬｏｗ信号状態、（４）一方がＬｏｗ信号状態で他方がＨｉ信号状態、という４形態が実現される。これらをそれぞれ、操作命令信号生成手段で、電源ＯＮ信号、チャンネル切替信号、音声量調整信号、電源ＯＦＦ信号等に対応させることで、テレビジョン装置の制御手段に操作命令信号が出力される。
【０００８】
また、この発明のテレビジョン装置の操作手段は、装置本体に対して着脱可能に設置されていることを特徴としている。
【０００９】
この構成では、操作手段が着脱可能であるので、視聴者の視聴位置に操作手段を配置することが可能となり、視聴位置にいながら、体の一部をこれらの操作手段に翳すことで、テレビジョン装置内の制御手段に対する操作命令が入力される。
【００１０】
また、この発明のテレビジョン装置の操作入力手段は、操作手段の装置本体への装着状態を検出する装着検出手段を備え、物体感知信号の組み合わせにより生成する操作命令信号を装着状態に応じて異ならせたことを特徴としている。
【００１１】
この構成では、操作手段が装置本体に装着されているかどうかを検出することで、それぞれに異なる操作命令が設定される。これを利用し、自由の利く健常者には、操作手段が装置本体に装着されている状態で使用するモードを設定し、自由の利きにくい障害者には、操作手段を装置本体から外し、自身の身の回りに配置して使用するモードを設定する。これにより、同じ操作手段を用いて、異なるモードでの使用が可能になり、健常者と障害者とのテレビジョン装置の共有が容易となる。
【００１２】
また、この発明のテレビジョン装置の物体感知手段は赤外線センサであることを特徴としている。
【００１３】
この構成では、通常のリモコンで用いられる赤外線を用いることができるため、装置の構成が簡素化される。
【００１４】
また、この発明のテレビジョン装置の物体検出手段は焦電センサであることを特徴としている。
【００１５】
この構成では、物体の感知に焦電センサを用いることで、操作手段と装置本体とを通信する赤外線とは異なる方法で物体感知が行われるため、互いに干渉して誤動作することが抑制される。
【００１６】
また、この発明のテレビジョン装置の制御手段は、操作命令信号に応じた設定内容表示画像を生成することを特徴としている。
【００１７】
この構成では、操作入力手段で操作入力した命令が制御手段に伝送されると、制御手段はこの命令に応じた処理を装置内の各部に制御するとともに、この命令内容に応じた表示を表示画面上に表示する。これにより、視聴者に自分が行った操作内容を認知させる。
【発明の効果】
【００１８】
この発明によれば、それぞれに物体感知手段を備えた複数の操作手段を用いて、これら物体感知手段のそれぞれに体の一部を感知させるかさせないかで操作命令信号を形成することで、少ない操作回数で多種の操作命令を生成することができる。これにより、健常者、障害者等の使用者の状態に関わることなく容易な操作でテレビジョン装置に所定の操作入力を行うことができる。
【００１９】
また、この発明によれば、操作入力手段を装置本体に対して着脱可能とすることで、障害者等の移動が不自由な人が、操作入力手段を自身の近傍に置いて操作することができる。これにより、障害者にあっては、従来と比較してより容易にテレビジョン装置に操作入力を行うことができる。
【００２０】
また、この発明によれば、操作手段を本体に装着している否かでモードが切り替えられるため、モード切替操作をする必要がない。これにより、視聴者は自身の状態に応じて、操作入力手段を本体に装着しておくどうかを決定し、これに従い、それぞれに異なるモードで操作入力を行うことできる。例えば、健常者であれば、体の自由が利くので、操作手段を本体に装着しておき、健常者モード（通常の操作モード）で操作入力を行うことができ、障害者であれば、体の自由が利きいくので、操作手段を本体から離間させ、自身の近傍に配置して障害者モードで操作入力を行うことができる。これにより、同じ操作入力手段を健常者と障害者とで共有することができる。
【００２１】
また、この発明によれば、赤外線センサを用いることで前述の効果を奏することが操作入力手段を簡素な構造で形成することができる。
【００２２】
また、この発明によれば、焦電センサを用いることで、赤外線通信信号との干渉により生じる誤動作を抑制することができる。
【００２３】
また、この発明によれば、操作内容が表示画面に表示されるので、視聴者はこれを見ながら操作内容を確認することができる。これにより、より一層操作性に優れる操作入力手段を備えたテレビジョン装置を構成することができる。
【発明を実施するための最良の形態】
【００２４】
本発明の実施形態に係るテレビジョン装置について図を参照して説明する。
【００２５】
図１は本実施形態に係るテレビジョン装置の外観斜視図であり、（ａ）は操作部を筐体に装着した状態を示し、（ｂ）は操作部を筐体から離間した状態を示す。
【００２６】
図２は本実施形態に係るテレビジョン装置の概略構成を示すブロック図である。
【００２７】
図１に示すように、本発明のテレビジョン装置は、筐体１の前面に露出する表示部４と、該表示部４の下辺側で、筐体１の幅方向の両端にそれぞれ配置された操作部２ａ，２ｂとを備える。また、筐体１の図示されていない内部に、図２に示すように、制御部１００、テレビジョン放送信号受信部１０１、映像・音声信号再生部１０３、スピーカ５、操作入力部１０２の操作命令生成部１２１、および装着検出部１２２が設置されている。
【００２８】
操作部２ａ，２ｂはそれぞれ略直方体形状の本体からなり、筐体１の前面下辺部に形成された、これら操作部２ａ，２ｂが挿嵌する形状の凹部３ａ，３ｂに挿嵌されている。また、操作部２ａ、２ｂには本体の一面に露出する焦電素子２０ａ，２０ｂがそれぞれ設置されるとともに、これら焦電素子２０ａ，２０ｂを用いた焦電センサが本体内に設置されている。また、操作部２ａ，２ｂの前記焦電素子２０ａ，２０ｂが露出する面とは異なる面には赤外線ランプ２１ａ，２１ｂが設置されており、これを用いた赤外線送信回路が本体内に設置されている。これら焦電センサと赤外線送信回路とは接続されており、焦電センサから出力される物体感知信号を赤外線送信回路から赤外線ランプ２１ａ，２１ｂを用いて外部に送信する。
【００２９】
凹部３ａ、３ｂの底面には、赤外線受光素子３０ａ，３０ｂが設置されており、操作部２ａ，２ｂの赤外線ランプ２１ａ，２１ｂから出力される赤外線信号を受光して、電気信号に変換し、操作命令生成部１２１に出力する。この際、操作部２ａ，２ｂの赤外線ランプ２１ａ，２１ｂは指向性を狭くする等により、操作部２ａの赤外線ランプ２１ａから出力される赤外線信号が凹部３ａの赤外線受光素子３０ａに受光され、操作部２ｂの赤外線ランプ２１ｂから出力される赤外線信号が凹部３ｂの赤外線受光素子３０ｂに受光されるように設定している。これにより、赤外線受光素子３０ａからは操作部２ａで操作された内容に基づく赤外線信号が入力され、赤外線受光素子３０ｂからは操作部２ｂで操作された内容に基づく赤外線信号が入力される。
【００３０】
操作命令生成部１２１は、赤外線受光素子３０ａから入力された操作部２ａによる操作信号と、赤外線受光素子３０ｂから入力された操作部２ｂによる操作信号とを組み合わせ、この組み合わせから予め設定されて記憶されている操作命令信号（例えば、電源ＯＮ信号、チャンネル切替信号、音量調整信号、電源ＯＦＦ信号等）を生成して、制御部１００に出力する。この際、操作命令生成部１２１には、装着検出部１２２から、操作部２ａ，２ｂが凹部３ａ，３ｂに装着されているかどうかを示す信号が入力されており、操作命令生成部１２１は、この信号に応じて、前記赤外線受光素子３０ａ，３０ｂから入力される信号の組み合わせにより生成する操作命令信号を切り替える。例えば、本実施形態では、操作部２ａ，２ｂが凹部３ａ，３ｂに装着されていれば健常者を主な対象とする健常者モードに、操作部２ａ，２ｂが凹部３ａ，３ｂに装着されていなければ障害者を主な対称とする障害者モードに設定する。ここで、健常者モードと障害者モードとでは基本的な操作（電源ＯＮ／ＯＦＦ、チャンネル切替、音声量切替等）は変わらないが、健常者モードでは、長時間に亘り両操作部２ａ，２ｂからＨｉ信号が入力されると自動で電源ＯＦＦする機能が備えられていたり、障害者モードであれば、操作待期時間（入力待ち時間）が長めに設定されている等の相違がある。
【００３１】
制御部１００は、操作命令生成部１２１から入力される操作命令信号に基づき、テレビジョン放送信号受信部１０１および映像・音声信号再生部１０２を制御する。例えば、操作命令信号により指定されたチャンネルに基づいて、テレビジョン放送信号受信部１０１でテレビジョン放送信号の指定チャンネルの信号を抽出して増幅し、映像・音声信号再生部１０３で映像信号と音声信号とに再生して、表示部４およびスピーカ５に出力する。
【００３２】
このように、操作部２ａ，２ｂの焦電センサで物体を感知したかどうかで操作命令信号を入力することができるので、健常者はもとより手や指に障害を有する障害者であれば腕を用い、腕に障害を有する障害者であれば他の体の一部を感知領域内に翳すことで容易に操作命令を入力することができる。
【００３３】
次に、具体的な操作方法および操作フローについて説明する。
【００３４】
図３は操作信号および操作命令信号すなわち操作命令生成部１２１で入出力される信号の一例を示すタイミングチャートである。なお、図３において、操作信号２Ａは操作部２ａから出力される操作信号を示し、操作信号２Ｂは操作部２ｂから出力される操作信号を示している。
【００３５】
まず、スタンバイモード状態で操作部２ａ、２ｂから所定時間（約５秒（以下、α時間と称す。））に亘るＨｉ信号の操作信号２Ａ，２Ｂが入力されると、操作命令生成部１２１は操作命令信号として電源ＯＮ信号Ａを出力する。制御部１００はこの電源ＯＮ信号Ａに従い図示しない電源部から装置内の各部に電源供給する制御を行う。
【００３６】
次に、この状態で、操作信号２ＡのみＨｉ信号が前記α時間より短く、後述するγ時間よりも長いβ時間（例えば、２〜３秒）で入力されると、操作命令生成部１２１は、以降に入力される操作信号２Ａ，２Ｂにより操作命令信号としてチャンネル切替信号Ｂ，Ｃを出力するように設定する。そして、次に、操作信号２ＡのみＨｉ信号がγ時間（例えば、１秒以内）で入力されると、操作命令生成部１２１は１チャンネル分チャンネルを増加させるチャンネル切替信号Ｂを制御部１００に出力する。制御部１００はこのチャンネル切替信号Ｂに従って、テレビジョン放送信号受信部１０１に抽出チャンネルを切り替える制御を行う。一方、操作信号２ＢのみＨｉ信号が入力されると、操作命令生成部１２１は１チャンネル分チャンネルを減少させるチャンネル切替信号Ｃを制御部１００に出力する。制御部１００はこのチャンネル切替信号Ｃに従って、テレビジョン放送信号受信部１０１に抽出チャンネルを切り替える制御を行う。
【００３７】
このような状態で、操作信号２Ａ，２ＢともにＨｉ信号がβ時間で入力されると、操作命令生成部１２１は操作命令信号としてチャンネル切替終了信号Ｄを生成して制御部１００に出力し、電源ＯＮ後の初期状態に戻る。
【００３８】
この初期状態において、操作信号２ＢのみＨｉ信号がβ時間で入力されると、操作命令生成部１２１は、以降に入力される操作信号２Ａ，２Ｂにより操作命令信号として音声量を切り替える音声切替信号Ｅ，Ｆを出力するように設定する。そして、次に、操作信号２ＡのみＨｉ信号がγ時間で入力されると、操作命令生成部１２１は１段階音声量を増加させる音声量切替信号Ｅを制御部１００に出力する。制御部１００はこの音声量切替信号Ｅに従って、映像・音声信号再生部１０３に音声信号の音声量を切り替える制御を行う。一方、操作信号２ＢのみＨｉ信号が入力されると、操作命令生成部１２１は１段階音声量を減少させる音声量切替信号Ｆを制御部１００に出力する。制御部１００はこの音声量切替信号Ｆに従って、映像・音声信号再生部１０３に音声信号の音声量を切り替える制御を行う。そして、この状態で、操作信号２Ａ，２ＢともにＨｉ信号が入力されると、操作命令生成部１２１は操作命令信号として音声量切替終了信号Ｇを生成して制御部１００に出力し、電源ＯＮ後の初期状態に戻る。
【００３９】
また、前述のどの状態であっても、操作信号２Ａ，２ＢともにＨｉ信号が所定時間（α時間）以上連続して入力されると、操作命令生成部１２１は操作命令信号として電源ＯＦＦ信号Ｈを生成して、制御部１００に出力する。制御部１００はこの電源ＯＦＦ信号Ｈに従い図示しない電源部から装置内の各部に対する電源供給を停止し、スタンバイモードに移行する制御を行う。
【００４０】
このように、操作命令生成部１２１は、入力される操作信号２Ａ，２Ｂの組み合わせに従い出力する操作命令信号を記憶して、さらに以前の操作命令信号内容をも含んで現在の制御状態を記憶する。そして、次に入力された操作信号の組み合わせと、記憶した現在の制御状態とに応じた操作命令信号を制御部１００に出力する。これにより、同時に入力される操作信号の組み合わせと、時間的に前後する操作信号の組み合わせとにより、多数の操作命令を生成することができる。例えば、二つの操作信号により、同時にＬｏｗ状態である場合を状態変化なしとすると、三種類の状態変化信号すなわち操作命令信号を生成することができ、次の操作信号の組み合わせでこれらに対してさらに三種類毎の操作命令信号を生成することができるので、少ない操作回数で多くの操作命令信号を生成することができる。これにより、視聴者は少ない操作回数でより多くの操作を入力することができ、操作性が向上し、容易に所望の操作を入力することができる。
【００４１】
なお、前述の操作入力時の感知時間（α時間、β時間、γ時間）は一例であり、視聴者によって任意に設定することができる。
【００４２】
また、前述の説明では、チャンネル切替操作と音声量切替操作とはそれぞれ個別、すなわち、一方の操作中に他方の操作を割り込ませることができなかったが、例えば、チャンネル切替操作中に、操作部２ｂを連続でＯＮ状態にしながら、操作部２ａを短時間（γ時間）ＯＮ状態とすることにより音声量を増加させ、操作部２ａを連続でＯＮ状態にしながら、操作部２ｂを短時間（γ時間）ＯＮ状態とすることにより音声量を低下させる等の操作制御を行ってもよい。
【００４３】
ところで、前述の説明では視聴者が操作部２ａ，２ｂを操作するとその内容に応じて操作命令信号が生成されるが、図４に示すようにメニュー画面を形成して、これを見ながら操作部２ａ，２ｂを操作するようにしてもよい。なお、メニュー画面を出力するかどうかは視聴者により設定可能であり、例えば、健常者モードでは出力せず、操作入力に補助を要する障害者モードでは出力するようにしてもよい。
【００４４】
図４はメニュー画面の一例を示す図であり、（ａ）はメインメニュー画面を示し、（ｂ）はチャンネル切替メニューを選択した場合のサブメニュー画面を示す。
【００４５】
この場合、操作部２ａ，２ｂを操作し、前述のようにスタンバイモードから電源ＯＮすると、制御部１００はメニュー画面を生成して表示部４に出力する。メニュー画面は、例えば、図４（ａ）に示すように、チャンネル切替メニューバー４０１、音声量切替メニューバー４０２、入力切替メニューバー４０３が縦列表示され、画面の下辺角に電源ＯＦＦバー４０４が表示される。
【００４６】
この状態で操作部２ａ，２ｂを操作することで、選択されるメニューバーが変更される。例えば、操作部２ａをＯＮ状態にする、すなわち操作部２ａからＨｉ信号が出力されると、操作命令生成部１２１は制御部１００に一つ上のメニューバーに選択が移行する信号を生成して出力する。制御部１００はこの信号に従い、現在選択されているメニューバーの一つ上のメニューバーに選択表示を移動する。逆に、操作部２ｂをＯＮ状態にする、すなわち操作部２ｂからＨｉ信号が出力されると、操作命令生成部１２１は制御部１００に一つ下のメニューバーに選択が移行する信号を生成して出力する。制御部１００はこの信号に従い、現在選択されているメニューバーの一つ下のメニューバーに選択表示を移動する。このような操作を繰り返した状態で、操作部２ａ，２ｂを同時にＯＮ状態にすることで、操作命令生成部１２１は決定信号を生成して制御部１００に出力する。制御部１００はこの決定信号に従い、選択されたメニューバーのサブメニュー画面を出力する。例えば、チャンネル切替メニューバー４０１が選択された状態で決定信号が入力されると、図４（ｂ）に示すようなチャンネル切替のサブメニュー画面が出力される。
【００４７】
この画面が表示された状態でも、前述のメニュー画面が表示された状態と同様のことを行うことで、所定のチャンネルバー４１１ａ〜４１１ｉ，４１２ａ〜４１２ｃ，４１３ａ〜４１３ｉ、およびメインメニューへの移行用の戻るバー４１４を選択することができ、所定チャンネルが選択された状態で決定操作を行う（操作部２ａ，２ｂを同時にＯＮ状態にする）ことで、制御部１００が指定されたチャンネルを選択する制御を行い、このチャンネルの映像が表示される。
【００４８】
このようにメニュー画面を利用することで、視聴者は現在自分が行っている操作内容を確認することができ、より操作性が向上する。
【００４９】
以上のように、本実施形態の構成を用いることで、健常者、障害者に関係なく視聴者が容易に操作することができる操作部を備えたテレビジョン装置を構成することができる。
【００５０】
なお、前述の実施形態では物体感知に焦電センサを用いたが、赤外線センサ等の他のセンサを用いてもよい。そして、赤外線センサを用いた場合には、本体との通信にも赤外線を利用しているので、構造を簡素化することができる。
【図面の簡単な説明】
【００５１】
【図１】本発明の実施形態に係るテレビジョン装置の外観斜視図
【図２】本発明の実施形態に係るテレビジョン装置の概略ブロック図
【図３】操作信号、操作命令信号の一例を示すタイミングチャート
【図４】メニュー画面の一例を示す図
【符号の説明】
【００５２】
１−筐体
２ａ，２ｂ−操作部
２０ａ，２０ｂ−焦電素子
２１ａ，２１ｂ−赤外線ランプ
３ａ，３ｂ−凹部
３０ａ，３０ｂ−赤外線受光素子
４−表示部
５−スピーカ
１００−制御部
１０１−テレビジョン放送信号受信部
１０２−操作入力部
１２１−操作命令生成部
１２２−装着検出部
１０３−映像・音声信号再生部
４０１−チャンネル切替バー
４０２−音声量切替バー
４０３−入力切替バー
４０４−電源ＯＦＦバー
４１１ａ〜４１１ｉ，４１２ａ〜４１２ｃ，４１３ａ〜４１３ｉ−チャンネル選択バー
４１４−メインメニュー移行用バー
【図１】
2005348000.tif 000003
【図２】
2005348000.tif 000004
【図３】
2005348000.tif 000005
【図４】
2005348000.tif 000006